(57)【要約】【課題】鳥類による電柱、鉄塔等への営巣と接近・飛来を簡易な構造で目的に応じて防止することができる鳥害防止装置を提供する。【解決手段】電柱、送電用鉄塔又は鉄構を構成する鉄材に螺着されるボルトとナットによって一部を共締めされると共に他の部位を鉄材から離間させて延長させた金属製のベース部材１０と、ベース部材の延長部位に設けた孔１２を利用してナット１３、１４により固定されるボルト部を備えた鳥類忌避ユニット２０と、を有した鳥害防止装置１であって、鳥類忌避ユニットは、ベース部材の孔に挿通されてナットにより螺着されるボルト部を一端部に備えると共に他の部位に非円柱状部を備えた棒材２１と、棒材の非円柱状部に挿通されて回転を規制される挿通孔を有した鳥類忌避部材３１と、棒材から鳥類忌避部材が脱落することを防止する脱落防止部材３８と、を備えていることを特徴とする。【選択図】図１
2010284093.tif 000002
【特許請求の範囲】
【請求項１】
電柱、送電用鉄塔又は鉄構を構成する鉄材に螺着されるボルトとナットによって一部を共締めされると共に他の部位を前記鉄材から離間させて延長させた金属製のベース部材と、前記ベース部材の延長部位に設けた孔を利用してナットにより固定されるボルト部を備えた鳥類忌避ユニットと、を有した鳥害防止装置であって、
前記鳥類忌避ユニットは、前記ベース部材の孔に挿通されて前記ナットにより螺着されるボルト部を一端部に備えると共に他の部位に非円柱状部を備えた棒材と、該棒材の非円柱状部に挿通されて回転を規制される挿通孔を有した鳥類忌避部材と、該棒材から該鳥類忌避部材が脱落することを防止する脱落防止部材と、を備えていることを特徴とする鳥害防止装置。
【請求項２】
前記鳥類忌避部材は、前記棒材に前記挿通孔を挿通された状態で該棒材の径方向へ突出すると共に先端部に先鋭部を備えた鳥類忌避片であることを特徴とする請求項１記載の鳥害防止装置。
【請求項３】
前記鳥類忌避部材は、略中央部に前記挿通孔を有した鳥類忌避マーク表示部材であり、該鳥類忌避マーク表示部材の表面には偏光性塗料により動物の目の図柄が形成されていることを特徴とする請求項１記載の鳥害防止装置。
【発明の詳細な説明】
【技術分野】
【０００１】
本発明は電柱、鉄塔等に固定されてカラス等の鳥類が営巣したり、その他の生物が腕金と電線間を地絡させることによって発生する地絡事故を有効に防止することができる鳥害防止装置に関するものである。
【背景技術】
【０００２】
電柱や鉄塔は、カラス、鷺等の鳥類によって格好の営巣場所、飛来場所として利用され易い。例えば、鉄塔上に固定される腕金や腕金に付属するがいし、電線等に対して針金、木の枝、草、葉等を集積した巣が形成されると、これらが腕金周辺の導体部分間を地絡させる送電線事故をもたらすことが多々ある。また、鳥類自身が高圧の電線等に接触したり接近しすぎたりして導体部分間を地絡させる配電線事故をもたらすこともある。このため、従来から鳥害を防止するために種々の提案がなされている。
例えば特許文献１には、短冊形の平板状突起基体の表面に所定間隔にて防鳥用針状突起を突設した防鳥モジュールを備えた鳥害防止装置が記載されている。鳥害防止装置は、手動で変形可能な可撓性支持杆の任意の箇所に防鳥モジュールを帯状締付具にて取付けたものである。被保護設備の形状に応じて支持杆を適宜変形させることができ、鳥害防止装置が設置された被保護設備を、鳥類が物理的に利用できないようにして鳥害を防止する。
また、例えば特許文献２には、鳥が忌避する動物の目に模した本体部とナットとからなる鳥害防止具について記載されている。ナットには、送電用鉄塔等にすでに取り付けられているボルトに螺合するように雌ネジが切られており、ボルトの先端部分に容易に追加取り付けが可能である。送電用鉄塔等に取り付けることにより、鳥類を近づけないようにして鳥害を防止する。
【先行技術文献】
【特許文献】
【０００３】
【特許文献１】特開２００５−３４１９３０公報
【特許文献２】特開２００８−１９９９８５公報
【発明の概要】
【発明が解決しようとする課題】
【０００４】
ところで、鳥害防止は、営巣防止と接近・飛来防止に大別される。
すなわち、鉄塔に形成された巣を構成する枝、針金等が原因で起こる送電線事故は、鳥類に巣を作らせない対策、すなわち営巣防止対策をすることによって防ぐことができる。また、営巣されなくとも、鳥類自身の接触が原因で起こる送電線事故は、鳥類を鉄塔等に近づけない対策、すなわち接近・飛来防止対策をすることによって防ぐことができる。
特許文献１に記載の発明は主として営巣防止手段であり、特許文献２に記載の発明は主として接近・飛来防止手段である。鳥害防止効果を高めるためには、営巣防止対策と接近・飛来防止対策の双方を考慮する必要があるが、特許文献１及び２に記載された発明は何れか一方を考慮したものである。
本発明は上記に鑑みてなされたものであり、鳥類による電柱、鉄塔等への営巣と接近・飛来を簡易な構造で目的に応じて防止することができる鳥害防止装置を提供することを目的とする。
【課題を解決するための手段】
【０００５】
上記の課題を解決するために、請求項１に記載の発明は、電柱、送電用鉄塔又は鉄構を構成する鉄材に螺着されるボルトとナットによって一部を共締めされると共に他の部位を前記鉄材から離間させて延長させた金属製のベース部材と、前記ベース部材の延長部位に設けた孔を利用してナットにより固定されるボルト部を備えた鳥類忌避ユニットと、を有した鳥害防止装置であって、前記鳥類忌避ユニットは、前記ベース部材の孔に挿通されて前記ナットにより螺着されるボルト部を一端部に備えると共に他の部位に非円柱状部を備えた棒材と、該棒材の非円柱状部に挿通されて回転を規制される挿通孔を有した鳥類忌避部材と、該棒材から該鳥類忌避部材が脱落することを防止する脱落防止部材と、を備えていることを特徴とする。
鳥類忌避部材を備えた鳥類忌避ユニットが螺着されたベース部材を、電柱、送電用鉄塔又は鉄構を構成する鉄材に螺着されるボルトとナットに共締めすることにより、鳥害防止装置を取り付ける。
請求項２に記載の発明は、前記鳥類忌避部材は、前記棒材に前記挿通孔を挿通された状態で該棒材の径方向へ突出すると共に先端部に先鋭部を備えた鳥類忌避片であることを特徴とする。
請求項３に記載の発明は、前記鳥類忌避部材は、略中央部に前記挿通孔を有した鳥類忌避マーク表示部材であり、該鳥類忌避マーク表示部材の表面には偏光性塗料により動物の目の図柄が形成されていることを特徴とする。
【発明の効果】
【０００６】
本発明によれば、鳥類による電柱、鉄塔等への営巣と接近・飛来を簡易な構造で目的に応じて防止することができるが可能となる。
【図面の簡単な説明】
【０００７】
【図１】鳥害防止装置を示す図であり、（ａ）は平面図であり、（ｂ）は正面図である。
【図２】棒材の斜視図である。
【図３】鳥類忌避片を示す図であり、（ａ）は平面図であり、（ｂ）は側面図である。
【図４】（ａ）〜（ｃ）は鳥類忌避マーク表示部材を示す図である。
【図５】スペーサを示す図であり、（ａ）は平面図であり、（ｂ）は側面図である。
【図６】送電用鉄塔について説明する図であり、（ａ）は模式的正面図であり、（ｂ）は腕金部分の拡大図であり、（ｃ）は腕金部分の平面図である。
【発明を実施するための形態】
【０００８】
本発明の発明を実施するための形態について図１乃至図５に基づいて説明する。本実施形態においては、鳥類忌避部材をユニット化して組合せ自在にするとともに、鉄塔等の構成部材である鉄材に共締め固定可能な点に特徴がある。図１は、鳥害防止装置を示す図であり、（ａ）は平面図であり、（ｂ）は正面図である。図２は、棒材の斜視図である。図３は、鳥類忌避片を示す図であり、（ａ）は平面図であり、（ｂ）は側面図である。図４は、鳥類忌避マーク表示部材を示す図である。図５は、スペーサを示す図であり、（ａ）は平面図であり、（ｂ）は側面図である。
【０００９】
本発明の鳥害防止装置１は、金属製のベース部材１０と、ベース部材１０に固定される鳥類忌避ユニット２０とから構成されて、電柱や送電用鉄塔、あるいは発・変電所の引出鉄構を構成する鉄材５０に固定される。
ベース部材１０は、鳥類忌避ユニット２０を鉄材５０から離間させて延長させる部材である。鳥害防止装置１を設置する箇所に応じて、適宜折り曲げた形状とする。ベース部材１０は、その一部（一端部）に鉄材５０に共締めするための共締孔１１を有し、他の部位（他端部）に孔１２を有した略クランク形状の板材である。共締孔１１には、鉄塔等を構成する鉄材５０に螺着されるボルト５１が挿通され、ナット５２と脱落防止ナット５３とによって共締めされ、固定される。また、孔１２には、鳥類忌避ユニット２０が固定される。ベース部材１０は、ボルト５１の周方向に対して３６０度自在に向きを変えて取り付けることができる。また、１つのボルト５１に対して複数のベース部材１０の一端部を重ねて固定することもできる。
鳥類忌避ユニット２０は、ベース部材１０の孔１２に挿通される棒材２１と、棒材２１に挿通される鳥類忌避部材３１と、鳥類忌避部材３１の間に挿入されるスペーサ３７と、棒材２１の端部から鳥類忌避部材３１が脱落することを防止するために棒材端部に着脱可能に装着される脱落防止部材３８とを備える。
【００１０】
棒材２１は、図２に示すように、一端部にボルト部２２を有し、他の部位に非円柱状部（多角柱状部）２３を備えた金属性の部材である。図２には棒材２１の一例として、非円柱状部２３の断面が四角形状のものを示している。ボルト部２２は、ベース部材１０の孔１２に挿通されて、ナット１３と、脱落防止ナット１４に螺着されて、ベース部材１０に固定される。棒材２１の他端部には、脱落防止部材３８を係止する係止孔２４を有する。
鳥類忌避部材３１は、鳥類忌避片３２と鳥類忌避マーク表示部材３３とを備える。
鳥類忌避片３２は、図３に示すように、棒材２１の非円柱状部２３に挿通されて回転を規制される挿通孔３２ａを備え、非円柱状部２３に挿通された状態で棒材２１の径方向に突出する突出部３２ｂを有する金属性の部材である。鳥類忌避片３２の先端部には先鋭部３２ｃを備えており、鳥類の営巣を防止する。挿通孔３２ａは、非円柱状部２３の断面形状に嵌合する形状を有している。鳥類忌避片３２は、一方向のみではなく、多方向に突出する構成としてもよい。
【００１１】
鳥類忌避マーク表示部材３３は、略中央に棒材２１の非円柱状部２３に挿通される挿通孔３３ａを備えた金属性の部材である。挿通孔３３ａは、非円柱状部２３の断面形状に嵌合する形状を有し、非円柱状部２３に挿通されて、回転が規制される。鳥類忌避マーク表示部材３３の表面には、偏光性塗料により、鳥類が忌避する動物の目３３ｂが描かれており、鳥類の接近・飛来を防止する。偏光性塗料は、分光効果により干渉波長が発生して視覚化され、見る角度や光の当たり方によって色が変化するという特徴を有する。この特徴により、鳥類が鳥害防止装置１に接近するにつれて、動物の目３３ｂの色が変化する。鳥類には動物の目３３ｂが生きている動物の目であるかのような錯覚を与えることができるので、忌避効果を高めることができる。偏光性塗料としては、例えば日本ペイント株式会社製のマジョーラ（登録商標）を用いることができる。
【００１２】
鳥類忌避マーク表示部材３３は、種々の形状とすることができ、使用目的に応じて使い分けることができる。
例えば、図４（ａ）に示すように、平板状、例えば円板状の鳥類忌避マーク表示部材３４として、その表面に動物の目に似せた絵柄３３ｂを描くようにしてもよい。円板状に限らず多角形や星形等の形状としてもよい。棒材２１を略鉛直に設置した場合には、上方からの鳥類の接近を防止することができる。
また、図４（ｂ）に示すように、中央に円板部を有した逆椀状の鳥類忌避マーク表示部材３５として、その表面に動物の目３５ｂを描くようにしてもよい。また、図４（ｃ）に示すように、中央に円板部を有した逆椀状部３６ｃの端縁に円筒状の垂下部３６ｄを備えた形状の鳥類忌避マーク表示部材３６としても良い。棒材２１を略鉛直に設置した場合には、上方及び水平方向から鳥類が接近することを防止することができる。円板部の形状は、円に限らず多角形やその他の形状等にしてもよい。
いずれの鳥類忌避マーク表示部材も、直径（又はこれに相当する部分の長さ）が１０ｃｍ程度あれば、鳥類の忌避効果を得ることができる。
また、鳥類忌避マーク表示部材３３の、平面、斜面、垂直面とで色を変えてもよい。また、動物の目の色を交互に変えたり、位置によってあるいは全ての色を異なる色としてもよい。また、ベース部分の色に比較的薄い色を使用し、動物の目を深紅にするようにしてもよい。このようにすると、動物の目が目立って大きく見え、忌避効果を高めることができる。
【００１３】
スペーサ３７は、非円柱状部２３の断面形状に嵌合する形状を有した挿通孔３７ａを備えた金属性の部材である。スペーサ３７は、鳥類忌避片３２の数量を調整するとともに、各鳥類忌避片３２と鳥類忌避マーク表示部材３３の離間距離や鉄材５０からの距離を調整する。
脱落防止部材３８は、係止孔２４に挿通されることにより、鳥類忌避部材３１の脱落を防止する。脱落防止部材３８は、針金状の金属部材を略Ω形状とした脱落防止ピン（割りピン）を用いることができる（図１（ａ）参照）。
【００１４】
以上説明した鳥害防止装置１が装着される送電用鉄塔について、図６に基づいて説明する。図６は、送電用鉄塔について説明する図であり、（ａ）は模式的正面図であり、（ｂ）は腕金部分の拡大図であり、（ｃ）は腕金部分の平面図である。
送電用鉄塔７０は、図６（ａ）に模式的に示すように、４本の主柱材７１と、主柱材７１間に固設された複数の斜材７２ａおよび水平材７２ｂからなる腹材と、主柱材７１の左右に３本ずつ固設されたかつ架空地線または電線からなる架渉線が架設される腕金７３とを備える。
ここで、主柱材７１は、鉄製の山形鋼や円鋼管などから構成され、基礎構造により地盤に下端が支持されており、概略鉛直上方を指向するように立設されている。
腹材は、鉄製の山形鋼で構成され、両端が主柱材７１にプレート７４を介して複数のボルトおよびナットにより固設されて、主柱材７１間にトラス構造を形成している。
腕金７３は、図６（ｂ）、（ｃ）に示すように、鉄製の山形鋼で構成され、腕金主材７３ａと腕金吊材７３ｂとを備え、主柱材７１の外側に延出するようにプレート７４を介して複数のボルトおよびナット（丸印で示す。）により主柱材７１に締結されている。
一般的には、電線は、複数のがいしを段状に介在させて、腕金７３の両端側に支持されている。なお、腕金７３への電線の支持方法としては、がいしを鉛直方向に吊り下げて支持する懸垂方式や、腕金７３の先端にがいしをほぼ水平方向に取り付けた耐張方式などがある。架空地線は、がいしを介することなく鉄塔頂部に支持される。
このように、送電用鉄塔７０は、少なくとも垂直方向に立設する主柱材７１以外の構造材は、主として厚さが１ｃｍ程度の長い平板状の金属板を短手方向に９０°折り曲げて形成した山形鋼であり、山形鋼同士または山形鋼と主柱材７１の連結および接合には、プレート７４などを介して多くのボルトおよびナットが用いられている。
【００１５】
上述の送電用鉄塔７０には、鳥類が好んで営巣する部分と、比較的営巣されることが少ない部分とがある。
たとえば、主柱材７１と腕金主材７３ａとプレート７４のある塔体内側Ａは、送電用鉄塔７０の中でも安定性が高く、特に鳥類が好んで営巣する部分である。従って、主として営巣防止を目的として、少なくとも鳥類忌避片３２を有する鳥類忌避ユニット２０を取り付ける。鳥類忌避片３２により鳥害防止装置１の取り付けられた箇所を物理的に使用不能にすることができる。鉄材５０から鳥類忌避片３２までの距離は、営巣が予想される鳥類の種類に応じて決定する。たとえば、烏の営巣を防止するには、鉄材５０から１０センチ程度以上離れた箇所に忌避片を取り付けるようにする。合わせて鳥類忌避マーク表示部材３３を取り付けると鳥類の警戒心を煽って、接近を防止することができて、効果的である。
腕金７３の腕金先端部Ｂは、鳥類が接近しても営巣されることが比較的少ない箇所である。従って、腕金先端部Ｂには鳥類の接近・飛来を防止する鳥類忌避マーク表示部材３３を備えた鳥害防止装置１を取り付ける。腕金先端部Ｂには、鳥害防止装置１を各方向から視認できるように、鳥類忌避マーク表示部材３５、３６を取り付ける。
【００１６】
鳥類忌避片３２を取り付けるか否かは、概ね接近遮断標識７５の位置によって決定することができる。すなわち、接近遮断標識７５よりも先端側には、鳥類忌避マーク表示部材３３のみからなる鳥害防止装置とし、接近遮断標識７５より中央部側には、鳥類忌避片３２を取り付けた鳥害防止装置１を取り付けることができる。なお、接近遮断標識７５は、塔上作業において、作業員が充電電路に接近することを防止するため、接近限界を明示する標識である。
なお、鳥害防止装置１の全高は電圧別の絶縁間隔等を考慮して、２０センチ程度とするのがよい。
このように、本実施形態に係る鳥害防止装置１は、ユニット化された鳥類忌避ユニット２０を備えているので、取り付ける場所や目的によって、鳥類忌避片３２と鳥類忌避マーク表示部材３３とスペーサ３７とを適宜組み合わせることにより、目的に応じた鳥害対策をとることができる。また、ボルトを用いて固定している箇所に共締めするだけで取り付けられるので、特殊な工具や技能を必要とせず、設置が簡単である。
【符号の説明】
【００１７】
１…鳥害防止装置、１０…ベース部材、１１…共締孔、１２…孔、１３…ナット、１４…脱落防止ナット、２０…鳥類忌避ユニット、２１…棒材、２２…ボルト部、２３…非円柱状部、２４…係止孔、３１…鳥類忌避部材、３２…鳥類忌避片、３２ａ…挿通孔、３２ｂ…突出部、３２ｃ…先鋭部、３３、３４、３５、３６…鳥類忌避マーク表示部材、３３ａ、３４ａ、３５ａ、３６ａ…挿通孔、３３ｂ、３４ｂ、３５ｂ、３６ｂ…目、３６ｃ…逆椀状部、３６ｄ…垂下部、３７…スペーサ、３７ａ…挿通孔、３８…脱落防止部材、５０…鉄材、５１…ボルト、５２…ナット、５３…脱落防止ナット、７０…送電用鉄塔、７１…主柱材、７２ａ…斜材、７２ｂ…水平材、７３…腕金、７３ａ…腕金主材、７３ｂ…腕金吊材、７４…プレート、７５…接近遮断標識、Ａ…塔体内側、Ｂ…腕金先端部
【図１】
2010284093.tif 000003
【図２】
2010284093.tif 000004
【図３】
2010284093.tif 000005
【図４】
2010284093.tif 000006
【図５】
2010284093.tif 000007
【図６】
2010284093.tif 000008